(57)【要約】【課題】  ペン先となるペン体の視認方向反対側が簡単に視認でき、線引きの終点を用意に視認できる筆記具で、かつ、同時に２種類の異なったインキ又は蛍光色素を含有するインキを線引きすることができる筆記具を提案することを目的とする。【解決手段】  筆記具本体内に２色の異なったインキ又は蛍光色素を含有するインキを吸蔵させた２本のインキ吸蔵体を収納し、筆記部が隔壁によって２分割されたペン体の両側に備えた２本のインキ誘導部がそれぞれ別のインキ吸蔵体に挿入され、それぞれのインキ又は蛍光色素を含有したインキを筆記部に導出するようにしたことによって本課題を解決する。【選択図】  図１
2006256045.tif 000002
【特許請求の範囲】
【請求項１】
筆記具本体内に収納したインキ吸蔵体から供給されるインキ又は蛍光色素を含有するインキを誘導し、かつ保留できるペン体を有する筆記具であり、該ペン体は、インキ誘導部と該インキ誘導部からのインキを導出する筆記部とを備えると共に、該筆記部の軸方向直上に筆記方向を視認できる可視部を備え、ペン体の筆記部が線幅２ｍｍ以上の描線幅が得られる筆記部で、ペン体の可視部には、その幅方向両側に２本のインキ誘導部を備えると共に、可視部の下側に該インキ誘導部からのインキを導出する筆記部を備えてなり、ペン体のインキ誘導部と筆記部とが一体に形成された多孔質部材からなる、また、インキ誘導部及び筆記部を支持する支持部材を備え、該支持部材の少なくとも一部を筆記方向を視認できる可視部とし、指示部材の可視部が透明な支持部材、レンズ部材又は素通しの窓部からなり、可視部内にインキ誘導部を有し、かつ、可視部の下部に該インキ誘導部からのインキを導出する筆記部を備えてなる筆記具において、該ペン体の筆記部が隔壁によって２分割化されていることを特徴とする筆記具。
【請求項２】
筆記具本体に２色の異なるインキ又は蛍光色素を含有したインキを吸蔵させた２本のインキ吸蔵体を収納し、ペン体の両側に備えた２本のインキ誘導部がそれぞれ別のインキ吸蔵体に挿入され、それぞれのインキ吸蔵体からインキ又は蛍光色素を含有したインキを筆記部に導出するようにしたことを特徴とする請求項１に記載の筆記具。
【発明の詳細な説明】
【技術分野】
【０００１】
本発明は、筆記具本体内に収納したインキ吸蔵体から供給されるインキ又は蛍光色素を含有するインキを誘導し、かつ保留できるペン体を有する筆記具に関し、更に詳しくは、一般に、アンダーラインペンと呼ばれるタイプの液体筆記具の内、ペン先となるペン体の視認方向反対側が簡単に視認でき、線引きの終点を用意に視認できる筆記具に関する。
【背景技術】
【０００２】
従来、アンダーラインペンと呼ばれるタイプの液体筆記具の内、ペン先となるペン体の視認方向反対側が簡単に視認でき、線引きの終点を用意に視認できる筆記具については、出願人が既に種々提案し、商品化している（例えば、特許文献１）。
【０００３】
しかし、この提案された筆記具は１種類のインキ又は蛍光色素を含有するインキを線引きするものであり、同時に２種類の異なったインキ又は蛍光色素を含有するインキを線引きすることはできない。
【０００４】
アンダーラインを引く際、１種類のインキ又は蛍光色素を含有するインキを線引きするよりも、同時に２種類の異なったインキ又は蛍光色素を含有するインキを線引きすることができれば、アンダーラインを引いた箇所の印象はより鮮明となり、アンダーラインの効果があがる。
【特許文献１】特開２０００−５２６８２号（特許請求の範囲等）
【発明の開示】
【発明が解決しようとする課題】
【０００５】
本発明は、前述した課題、ペン先となるペン体の視認方向反対側が簡単に視認でき、線引きの終点を用意に視認できる筆記具で、かつ、同時に２種類の異なったインキ又は蛍光色素を含有するインキを線引きすることができる筆記具を提案することを目的とする。
【課題を解決するための手段】
【０００６】
本発明者らは、上記課題等に鑑み、これを解決しようとするものであり、筆記具本体内に２色の異なったインキ又は蛍光色素を含有するインキを吸蔵させた２本のインキ吸蔵体を収納し、筆記部が隔壁によって２分割されたペン体の両側に備えた２本のインキ誘導部がそれぞれ別のインキ吸蔵体に挿入され、それぞれのインキ又は蛍光色素を含有したインキを筆記部に導出するようにしたことによって、本発明を完成するに至ったのである。
すなわち、本発明は、次の（１）〜（２）の発明によって構成される。
（１）筆記具本体内に収納したインキ吸蔵体から供給されるインキ又は蛍光色素を含有するインキを誘導し、かつ保留できるペン体を有する筆記具であり、該ペン体は、インキ誘導部と該インキ誘導部からのインキを導出する筆記部とを備えると共に、該筆記部の軸方向直上に筆記方向を視認できる可視部を備え、ペン体の筆記部が線幅２ｍｍ以上の描線幅が得られる筆記部で、ペン体の可視部には、その幅方向両側に２本のインキ誘導部を備えると共に、可視部の下側に該インキ誘導部からのインキを導出する筆記部を備えてなり、ペン体のインキ誘導部と筆記部とが一体に形成された多孔質部材からなる、また、インキ誘導部及び筆記部を支持する支持部材を備え、該支持部材の少なくとも一部を筆記方向を視認できる可視部とし、指示部材の可視部が透明な支持部材、レンズ部材又は素通しの窓部からなり、可視部内にインキ誘導部を有し、かつ、可視部の下部に該インキ誘導部からのインキを導出する筆記部を備えてなる筆記具において、該ペン体の筆記部が隔壁によって２分割化されていることを特徴とする筆記具。
（２）筆記具本体に２色の異なるインキ又は蛍光色素を含有したインキを吸蔵させた２本のインキ吸蔵体を収納し、ペン体の両側に備えた２本のインキ誘導部がそれぞれ別のインキ吸蔵体に挿入され、それぞれのインキ吸蔵体からインキ又は蛍光色素を含有したインキを筆記部に導出するようにしたことを特徴とする上記（１）に記載の筆記具。
【発明の効果】
【０００７】
本発明は、前記のように構成されており、ペン先となるペン体の視認方向反対側が簡単に視認でき、線引きの終点を用意に視認できる筆記具で、かつ、同時に２種類の異なったインキ又は蛍光色素を含有するインキを線引きすることができる筆記具を提供することができるものである。
【発明を実施するための最良の形態】
【０００８】
以下に、本発明を実施するための最良の実施形態を図面により詳しく説明する。
図１は、本発明の筆記具の基本形態を示す平面断面図である。
この筆記具は、図１に示すように、筆記具本体となる軸筒１００内に２色の異なるインキ又は蛍光色素を含有したインキを吸蔵させた２本のインキ吸蔵体１０１ａ及び１０１ｂを収納し、ペン体１０の後端部両側に設けたインキ誘導部１２ａのインキ誘導軸部をインキ吸蔵体１０１ａに、インキ誘導部１２ｂのインキ誘導軸部をインキ吸蔵体１０１ｂにそれぞれ挿入して、インキ吸蔵体１０１ａ及びインキ吸蔵体１０１ｂの２種類の異なったインキ又は蛍光色素を含有するインキをペン体１０の先端の隔壁１４によって２分割化された筆記部１３ａ、１３ｂに供給する構成となっている。なお、図示符号１０２は尾栓である。
【０００９】
ペン体１０は、支持部材１１の外周面にインキ誘導部１２ａ、１２ｂが被覆されている。また、支持部材１１を被覆しているインキ誘導部１２ａ、１２ｂのインキ誘導軸部１２ａ’、１２ｂ’は、支持部材１１の後方に形成された軸部１１ｂより更に延長され、軸筒１００内に収納されたインキ吸蔵体１０１ａ及び１０１ｂに挿入されている。支持部材１１は、筆記方向を視認できる透明な樹脂又はガラス等の部材、具体的には、平行光線透過率３０％以上、好ましくは、平行光線透過率５０％以上、更に好ましくは平行光線透過率７０％以上の透明な樹脂又はガラス等の部材（いか、「透明な支持部材」ということもある）であり、前方に幅広の平滑面となる可視部１１ａが形成されている。この平行光線透過率３０％未満の樹脂又はガラス等の部材であると、筆記方向を鮮明に視認することができず、好ましくない。この物性を満足させる樹脂等としては、例えば、スチレン−イソプレン樹脂、アイオノマー樹脂、ＳＢＲ−ＰＰのブレンド樹脂、アクリル樹脂、ナイロン樹脂、ポリメチルペンテンなどが挙げられる。また、インキ誘導部１２ａ、１２ｂは、毛細管力を有する金属、セラミック、樹脂粒子の焼結体などの多孔質部材から構成されたものであり、これ等の多孔質部材は、嵌着、又は接着剤による接着、又は溶着などにより支持部材１１の外周に被覆されている。なお、支持部材１１の外周面にインキ誘導部１２ａ、１２ｂの被覆を更に確実にするため嵌合溝等を施してもよいものである。ペン体１０のインキ誘導部１２ａ、１２ｂの筆記部１３ａ、１３ｂを隔てて２種のインキ又は蛍光色素を含有したインキが交じり合うのを防止する隔壁１４は、インキに溶解、膨潤しない高分子からなるが、水系のインキ又は蛍光色素を含有したインキの場合、ポリプロピレン、ＡＢＳ等が汎用的で好ましい。隔壁１４は、支持部材１１と一体に成形しても良く、支持部材１１に嵌着、接着等の方法で接合しても良い。隔壁１４と支持部材１１とを一体に成形する場合、隔壁１４と支持部材１１とが別の素材であれば、二色成形等の方法で成形できる。
また、隔壁１４は、線を引く場合に筆記面に端部があたるため、そこだけガリガリする等の違和感を使用者に与えないように、柔軟性のある素材を用いることが好ましい。
【００１０】
また、筆記部１３ａ、１３ｂは、インキ誘導部１２ａ、１２ｂと同じ素材で一体に支持部材１１の下部に上述の態様で被覆されており、図１では軸方向と４５度以下の勾配を有して示されているが、無論平面であってもよい。これらの形状は、筆記等の使い勝手に合わせて適宜設定される。また、筆記部１３ａ、１３ｂは、描線幅が太いものであり、好ましくは、描線幅２ｍｍ以上、更に好ましくは、描線幅３ｍｍ以上の描線幅となる筆記部である。上記インキ誘導部１２ａ、１２ｂは、上記支持部材１１の軸部１１ｂを被覆するインキ誘導軸部１２ａ’、１２ｂ’を有するが、可視部１１ａの軸直角面は露出するように形成されている。なお、軸部１１ｂ、インキ誘導軸部１２ａ’、１２ｂ’の横断面形状は、丸軸、角軸などの形状に適宜設定される。更に、上記可視部１１ａをレンズ効果を有するレンズ部材により構成すれば、透視される視野を拡大して見ることが可能となる。
【００１１】
この実施形態の描線幅の太いペン体１０を有する筆記具を右手を用いて左から右に通常筆記する場合、支持部材１１を透明な樹脂又はガラス等の部材からなる可視部１１ａ及び軸部１１ｂとしたので、筆記部１３ａ、１３ｂの軸方向直上に位置する可視部１１ａ（及び軸部１１ｂ）によりペン先の右側が見やすくなって線の右終点位置が用意に特定可能となる。これにより、紙上に表の枠線を引く場合や、横書きの資料に上記筆記具でアンダーライン等で文字を塗りつぶす時や、電車や飛行機など比較的狭い場所での使用に際して顕著な使い勝手を向上することができる。更に、ペン体１０の筆記部１３ａ、１３ｂが隔壁１４によって隔てられ、インキ誘導部１２ａ、１２ｂ及びインキ誘導軸部１２ａ’、１２ｂ’がそれぞれ異なった２種のインキ又は蛍光色素を含有したインキを吸蔵したインキ吸蔵体１０１ａ及び１０１ｂに挿入されて、それぞれ異なった２種のインキ又は蛍光色素を含有したインキをペン体１０の筆記部１３ａ、１３ｂに誘導しているので、異なった２種の色の線を同時に引くことができ、線を引いた箇所の印象は１本より更に鮮明となり、多様な使用効果も期待できる。勿論、筆記部１３ａ、１３ｂのどちらか一方のみで線を引くこともできるので、今まで通り１本線を引くこともできる。
【００１２】
図２は、本発明の筆記具を用いて文字の上から線を引いた様子をイメージで表したもので、隔壁１４の位置によってペン体１０の筆記部１３ａ、１３ｂの筆記幅の比率を設定することができるため、図のように筆記部１３ａの描線幅１５ａを大きくとり、筆記部１３ｂの描線幅１５ｂを小さくとるように設定すれば、強調したい文字の上にアンダーラインで塗りつぶせば塗りつぶした文字が更に際立って見える効果がある。
【００１３】
図３は、本発明の筆記先端部を拡大した説明図で、支持部材１１の先端部の隔壁１４によって筆記部１３ａ、１３ｂが隔てられていることがわかる。
【００１４】
図４は、本発明の筆記先端部を分解し、筆記部１３ａ、１３ｂと支持部材１１及び隔壁１４の関係を説明した分解図である。
【００１５】
本発明は、以上のごとく構成されているので、ペン先となるペン体の視認方向反対側が簡単に視認でき、線引きの終点を用意に視認できる筆記具で、かつ、同時に２種類の異なったインキ又は蛍光色素を含有するインキを線引きすることができる筆記具を提供することができるものである。
なお、上記実施例は、本発明の筆記具の一実施例を説明するもので、必ずしもこの構造に限定されるものではない。
【図面の簡単な説明】
【００１６】
【図１】本発明の筆記具の基本形態を示す平面断面図である。
【図２】本発明の筆記具を用いて文字の上から線を引いた様子をイメージで表したものである。
【図３】本発明の筆記先端部を拡大した説明図である。
【図４】本発明の筆記先端部の分解図である。
【符号の説明】
【００１７】
１０：ペン体、
１１：支持部材、１１ａ：可視部、１１ｂ：軸部、
１２ａ：インキ誘導部、１２ｂ：インキ誘導部
１２ａ’：インキ誘導軸部、１２ｂ’：インキ誘導軸部
１３ａ：筆記部、１３ｂ：筆記部、
１４：隔壁
１５ａ：描線幅、１５ｂ：描線幅
【図１】
2006256045.tif 000003
【図２】
2006256045.tif 000004
【図３】
2006256045.tif 000005
【図４】
2006256045.tif 000006